(57)【要約】【課題】表示品質を向上させることが可能な電気光学装置、電気光学装置の駆動方法、及び電子機器を提供する。【解決手段】、選択信号出力回路は、水平走査期間を時分割した一部の期間において、ｋ個のスイッチのうちの一組の隣り合う信号線に対応する一組のスイッチを同時に選択する選択信号を出力し、水平走査期間を時分割した残りの期間において、ｋ個のスイッチうちの残りのスイッチを一つずつ選択する選択信号を出力し、画像信号出力回路は、水平走査期間を時分割した一部の期間において、同時に選択された一組のスイッチに対応した一組の隣り合う信号線に同じ画像信号を供給する。【選択図】図５Ａ
2020034719.tif 000002
【特許請求の範囲】
【請求項１】
複数の信号線と、
複数の走査線と、
前記複数の信号線と前記複数の走査線との交差に対応して配置された画素と、
前記複数の信号線のうちのｋ本の信号線毎に対応して配置された画像信号線と、
前記画像信号線と前記ｋ本の信号線のそれぞれの間に配置されたｋ個のスイッチと、
前記ｋ個のスイッチを選択する選択信号を出力する選択信号出力回路と、
前記画像信号線を介して、前記画素に画像信号を出力する画像信号出力回路と、を備えた電気光学装置であって、
前記選択信号出力回路は、水平走査期間を時分割した一部の期間において、前記ｋ個のスイッチのうちの一組の隣り合う信号線に対応する一組のスイッチを同時に選択する選択信号を出力し、前記水平走査期間を時分割した残りの期間において、前記ｋ個のスイッチうちの残りのスイッチを一つずつ選択する選択信号を出力し、
前記画像信号出力回路は、前記水平走査期間を時分割した一部の期間において、前記同時に選択された一組のスイッチに対応した一組の隣り合う信号線に同じ画像信号を供給することを特徴とする電気光学装置。
【請求項２】
請求項１に記載の電気光学装置であって、
前記選択信号出力回路は、前記同時に選択する一組のスイッチの組み合わせを所定の時間ごとに変更することを特徴とする電気光学装置。
【請求項３】
請求項１又は請求項２に記載の電気光学装置であって、
前記選択信号出力回路は、垂直走査期間毎に前記画素に同じ画像信号をｐ回供給するｐ倍速駆動を行い、前記同時に選択する一組のスイッチの組み合わせをｐ垂直走査期間の間にｐ回又はｐ分の２回変更することを特徴とする電気光学装置。
【請求項４】
請求項１乃至請求項３のいずれか一項に記載の電気光学装置であって、
前記選択信号出力回路は、前記水平走査期間を時分割した一部の時間において、前記ｋ個のスイッチのうち二組の隣り合う信号線のそれぞれに対応する二組のスイッチを同時に選択して、第１組のスイッチに対応する第１組の隣り合う信号線に第１の画像信号を供給すると共に、第２組のスイッチに対応する第２組の隣り合う信号線に第２の画像信号を供給することを特徴とする電気光学装置。
【請求項５】
請求項１乃至請求項４のいずれか一項に記載の電気光学装置であって、
垂直走査期間は、第１水平走査期間と第２水平走査期間とを含み、
前記選択信号出力回路は、前記第１水平走査期間と前記第２水平走査期間とにおいて前記同時に選択する一組のスイッチの組み合わせを変更することを特徴とする電気光学装置。
【請求項６】
請求項１乃至請求項５のいずれか一項に記載の電気光学装置であって、
前記選択信号出力回路は、前記同時に選択する一組のスイッチに対応する一組の隣り合う信号線のいずれか１本の信号線に供給すべき画像信号を、前記同時に選択する一組のスイッチに対応する一組の隣り合う信号線の他の信号線にも供給することを特徴とする電気光学装置。
【請求項７】
請求項１乃至請求項５のいずれか一項に記載の電気光学装置であって、
前記画像信号出力回路は、複数の垂直走査期間における画像信号を平均化した画像信号を前記同時に選択する一組のスイッチに対応する一組の隣り合う信号線に供給することを特徴とする電気光学装置。
【請求項８】
複数の信号線と、
複数の走査線と、
前記複数の信号線と前記複数の走査線との交差に対応して配置された画素と、
前記複数の信号線のうちのｋ本の信号線毎に対応して配置された画像信号線と、
前記画像信号線と前記ｋ本の信号線のそれぞれの間に配置されたｋ個のスイッチと、
前記ｋ個のスイッチを選択する選択信号を出力する選択信号出力回路と、
前記画像信号線を介して、前記画素に画像信号を出力する画像信号出力回路と、を備えた電気光学装置の駆動方法であって、
前記選択信号出力回路は、水平走査期間を時分割した一部の期間において、前記ｋ個のスイッチのうちの一組の隣り合う信号線に対応する一組のスイッチを同時に選択する選択信号を出力し、前記水平走査期間を時分割した残りの期間において、前記ｋ個のスイッチうちの残りのスイッチを一つずつ選択する選択信号を出力し、
前記画像信号出力回路は、前記水平走査期間を時分割した一部の期間において、前記同時に選択された一組のスイッチに対応した一組の隣り合う信号線に同じ画像信号を供給することを特徴とする電気光学装置の駆動方法。
【請求項９】
請求項８に記載の電気光学装置の駆動方法であって、
前記選択信号出力回路は、前記同時に選択する一組のスイッチの組み合わせを所定の時間ごとに変更することを特徴とする電気光学装置の駆動方法。
【請求項１０】
請求項８又は請求項９に記載の電気光学装置の駆動方法であって、
前記選択信号出力回路は、垂直走査期間毎に前記画素に同じ画像信号をｐ回供給するｐ倍速駆動を行い、前記同時に選択する一組のスイッチの組み合わせをｐ垂直走査期間の間にｐ回又はｐ分の２回変更することを特徴とする電気光学装置の駆動方法。
【請求項１１】
請求項８乃至請求項１０のいずれか一項に記載の電気光学装置の駆動方法であって、
前記選択信号出力回路は、前記水平走査期間を時分割した一部の時間において、前記ｋ個のスイッチのうち二組の隣り合う信号線のそれぞれに対応する二組のスイッチを同時に選択して、第１組のスイッチに対応する第１組の隣り合う信号線に第１の画像信号を供給すると共に、第２組のスイッチに対応する第２組の隣り合う信号線に第２の画像信号を供給することを特徴とする電気光学装置の駆動方法。
【請求項１２】
請求項８乃至請求項１１のいずれか一項に記載の電気光学装置の駆動方法であって、
垂直走査期間は、第１水平走査期間と第２水平走査期間とを含み、
前記選択信号出力回路は、前記第１水平走査期間と前記第２水平走査期間とにおいて前記同時に選択する一組のスイッチの組み合わせを変更することを特徴とする電気光学装置の駆動方法。
【請求項１３】
請求項８乃至請求項１２のいずれか一項に記載の電気光学装置の駆動方法であって、
前記選択信号出力回路は、前記同時に選択する一組のスイッチに対応する一組の隣り合う信号線のいずれか１本の信号線に供給すべき画像信号を、前記同時に選択する一組のスイッチに対応する一組の隣り合う信号線の他の信号線にも供給することを特徴とする電気光学装置の駆動方法。
【請求項１４】
請求項８乃至請求項１２のいずれか一項に記載の電気光学装置の駆動方法であって、
前記画像信号出力回路は、複数の垂直走査期間における画像信号を平均化した画像信号を前記同時に選択する一組のスイッチに対応する一組の隣り合う信号線に供給することを特徴とする電気光学装置の駆動方法。
【請求項１５】
請求項１乃至請求項７のいずれか一項に記載の電気光学装置を備えたことを特徴とする電子機器。
【発明の詳細な説明】
【技術分野】
【０００１】
本発明は、電気光学装置、電気光学装置の駆動方法、及び電子機器に関する。
【背景技術】
【０００２】
電気光学装置の一つとして、例えば、液晶装置が知られている。液晶装置は、液晶の誘電異方性と液晶層に於ける光の旋光性とを利用して画像を形成するものである。液晶装置では、画像表示領域に走査線と信号線とが配置されて、これらの交点に画素が行列状に配置されている。画素には画素トランジスターが設けられ、画素トランジスターを介して各画素に画像信号を供給する事で画像が形成される。
【０００３】
液晶装置における表示品質の高い映像を得る方法として、例えば、特許文献１に記載のように、画像信号を供給するデータ線を複数のブロックに分割し、各ブロック内の複数のデータ線を１水平期間において順次選択して画像信号を供給することにより、画素への書き込み時間を確保して表示品質を向上させる駆動方法が知られている（デマルチプレクサ駆動方式）。
【先行技術文献】
【特許文献】
【０００４】
【特許文献１】特開２０１２−１５０４９６号公報
【発明の概要】
【発明が解決しようとする課題】
【０００５】
しかしながら、今後更なる高解像度化や高速駆動化が望まれており、高解像度化や高速駆動化に伴って、画素への書き込み時間の確保が困難になるという課題がある。
【課題を解決するための手段】
【０００６】
本願の電気光学装置は、複数の信号線と、複数の走査線と、前記複数の信号線と前記複数の走査線との交差に対応して配置された画素と、前記複数の信号線のうちのｋ本の信号線毎に対応して配置された画像信号線と、前記画像信号線と前記ｋ本の信号線のそれぞれの間に配置されたｋ個のスイッチと、前記ｋ個のスイッチを選択する選択信号を出力する選択信号出力回路と、前記画像信号線を介して、前記画素に画像信号を出力する画像信号出力回路と、を備えた電気光学装置であって、前記選択信号出力回路は、水平走査期間を時分割した一部の期間において、前記ｋ個のスイッチのうちの一組の隣り合う信号線に対応する一組のスイッチを同時に選択する選択信号を出力し、前記水平走査期間を時分割した残りの期間において、前記ｋ個のスイッチうちの残りのスイッチを一つずつ選択する選択信号を出力し、前記画像信号出力回路は、前記水平走査期間を時分割した一部の期間において、前記同時に選択された一組のスイッチに対応した一組の隣り合う信号線に同じ画像信号を供給することを特徴とする。
【０００７】
上記の電気光学装置において、前記選択信号出力回路は、前記同時に選択する一組のスイッチの組み合わせを所定の時間ごとに変更することが望ましい。
【０００８】
上記の電気光学装置において、前記選択信号出力回路は、垂直走査期間毎に前記画素に同じ画像信号をｐ回供給するｐ倍速駆動を行い、前記同時に選択する一組のスイッチの組み合わせをｐ垂直走査期間の間にｐ回又はｐ分の２回変更することが望ましい。
【０００９】
上記の電気光学装置において、前記選択信号出力回路は、前記水平走査期間を時分割した一部の時間において、前記ｋ個のスイッチのうち二組の隣り合う信号線のそれぞれに対応する二組のスイッチを同時に選択して、第１組のスイッチに対応する第１組の隣り合う信号線に第１の画像信号を供給すると共に、第２組のスイッチに対応する第２組の隣り合う信号線に第２の画像信号を供給することが望ましい。
【００１０】
上記の電気光学装置において、垂直走査期間は、第１水平走査期間と第２水平走査期間とを含み、前記選択信号出力回路は、前記第１水平走査期間と前記第２水平走査期間とにおいて前記同時に選択する一組のスイッチの組み合わせを変更することが望ましい。
【００１１】
上記の電気光学装置において、前記選択信号出力回路は、前記同時に選択する一組のスイッチに対応する一組の隣り合う信号線のいずれか１本の信号線に供給すべき画像信号を、前記同時に選択する一組のスイッチに対応する一組の隣り合う信号線の他の信号線にも供給することが望ましい。
【００１２】
上記の電気光学装置において、前記画像信号出力回路は、複数の垂直走査期間における画像信号を平均化した画像信号を前記同時に選択する一組のスイッチに対応する一組の隣り合う信号線に供給してもよい。
【００１３】
本願の電気光学装置の駆動方法は、複数の信号線と、複数の走査線と、前記複数の信号線と前記複数の走査線との交差に対応して配置された画素と、前記複数の信号線のうちのｋ本の信号線毎に対応して配置された画像信号線と、前記画像信号線と前記ｋ本の信号線のそれぞれの間に配置されたｋ個のスイッチと、前記ｋ個のスイッチを選択する選択信号を出力する選択信号出力回路と、前記画像信号線を介して、前記画素に画像信号を出力する画像信号出力回路と、を備えた電気光学装置の駆動方法であって、前記選択信号出力回路は、水平走査期間を時分割した一部の期間において、前記ｋ個のスイッチのうちの一組の隣り合う信号線に対応する一組のスイッチを同時に選択する選択信号を出力し、前記水平走査期間を時分割した残りの期間において、前記ｋ個のスイッチうちの残りのスイッチを一つずつ選択する選択信号を出力し、前記画像信号出力回路は、前記水平走査期間を時分割した一部の期間において、前記同時に選択された一組のスイッチに対応した一組の隣り合う信号線に同じ画像信号を供給することを特徴とする。
【００１４】
上記の電気光学装置の駆動方法において、前記選択信号出力回路は、前記同時に選択する一組のスイッチの組み合わせを所定の時間ごとに変更することが望ましい。
【００１５】
上記の電気光学装置の駆動方法において、前記選択信号出力回路は、垂直走査期間毎に前記画素に同じ画像信号をｐ回供給するｐ倍速駆動を行い、前記同時に選択する一組のスイッチの組み合わせをｐ垂直走査期間の間にｐ回又はｐ分の２回変更することが望ましい。
【００１６】
上記の電気光学装置の駆動方法において、前記選択信号出力回路は、前記水平走査期間を時分割した一部の時間において、前記ｋ個のスイッチのうち二組の隣り合う信号線のそれぞれに対応する二組のスイッチを同時に選択して、第１組のスイッチに対応する第１組の隣り合う信号線に第１の画像信号を供給すると共に、第２組のスイッチに対応する第２組の隣り合う信号線に第２の画像信号を供給することが望ましい。
【００１７】
上記の電気光学装置の駆動方法において、垂直走査期間は、第１水平走査期間と第２水平走査期間とを含み、前記選択信号出力回路は、前記第１水平走査期間と前記第２水平走査期間とにおいて前記同時に選択する一組のスイッチの組み合わせを変更することが望ましい。
【００１８】
上記の電気光学装置の駆動方法において、前記選択信号出力回路は、前記同時に選択する一組のスイッチに対応する一組の隣り合う信号線のいずれか１本の信号線に供給すべき画像信号を、前記同時に選択する一組のスイッチに対応する一組の隣り合う信号線の他の信号線にも供給することが望ましい。
【００１９】
上記の電気光学装置の駆動方法において、前記画像信号出力回路は、複数の垂直走査期間における画像信号を平均化した画像信号を前記同時に選択する一組のスイッチに対応する一組の隣り合う信号線に供給してもよい。
【００２０】
本願の電子機器は、上記に記載の電気光学装置を備えたことを特徴とする。
【図面の簡単な説明】
【００２１】
【図１】第１実施形態の電子機器の一例であるプロジェクターの構成を示す概略図。
【図２】電気光学装置の構成を示す回路ブロック図。
【図３】電気光学装置を構成する画素の構成を示す回路図。
【図４】信号線駆動回路の構成を示す回路図。
【図５Ａ】電気光学装置の駆動方法を示すタイミングチャート。
【図５Ｂ】電気光学装置の駆動方法を示すタイミングチャート。
【図５Ｃ】電気光学装置の駆動方法を示すタイミングチャート。
【図５Ｄ】電気光学装置の駆動方法を示すタイミングチャート。
【図５Ｅ】電気光学装置の駆動方法を示すタイミングチャート。
【図５Ｆ】電気光学装置の駆動方法を示すタイミングチャート。
【図５Ｇ】電気光学装置の駆動方法を示すタイミングチャート。
【図５Ｈ】電気光学装置の駆動方法を示すタイミングチャート。
【図６Ａ】フレーム期間ごとの階調を示す図表。
【図６Ｂ】フレーム期間ごとの階調を示す図表。
【図６Ｃ】フレーム期間ごとの階調を示す図表。
【図６Ｄ】フレーム期間ごとの階調を示す図表。
【図６Ｅ】フレーム期間ごとの階調を示す図表。
【図６Ｆ】フレーム期間ごとの階調を示す図表。
【図６Ｇ】フレーム期間ごとの階調を示す図表。
【図６Ｈ】フレーム期間ごとの階調を示す図表。
【図７Ａ】第２実施形態の電気光学装置の駆動方法を示すタイミングチャート。
【図７Ｂ】電気光学装置の駆動方法を示すタイミングチャート。
【図７Ｃ】電気光学装置の駆動方法を示すタイミングチャート。
【図７Ｄ】電気光学装置の駆動方法を示すタイミングチャート。
【図８Ａ】フレーム期間ごとの階調を示す図表。
【図８Ｂ】フレーム期間ごとの階調を示す図表。
【図８Ｃ】フレーム期間ごとの階調を示す図表。
【図８Ｄ】フレーム期間ごとの階調を示す図表。
【図９】第３実施形態の電気光学装置の駆動方法を示すタイミングチャート。
【図１０Ａ】フレーム期間ごとの階調を示す図表。
【図１０Ｂ】フレーム期間ごとの階調を示す図表。
【図１０Ｃ】フレーム期間ごとの階調を示す図表。
【図１０Ｄ】フレーム期間ごとの階調を示す図表。
【図１１】第４実施形態の電気光学装置の駆動方法を示すタイミングチャート。
【図１２Ａ】フレーム期間ごとの階調を示す図表。
【図１２Ｂ】フレーム期間ごとの階調を示す図表。
【図１２Ｃ】フレーム期間ごとの階調を示す図表。
【図１２Ｄ】フレーム期間ごとの階調を示す図表。
【図１２Ｅ】フレーム期間ごとの階調を示す図表。
【図１２Ｆ】フレーム期間ごとの階調を示す図表。
【図１２Ｇ】フレーム期間ごとの階調を示す図表。
【図１２Ｈ】フレーム期間ごとの階調を示す図表。
【図１３】変形例の駆動方法を示すタイミングチャート。
【図１４】変形例の階調を示す図表。
【図１５】変形例の階調を示す図表。
【発明を実施するための形態】
【００２２】
以下、本実施形態について、図面を参照して説明する。
【００２３】
（第１実施形態）
「電子機器の概要」
図１は、本実施形態の電子機器の一例であるプロジェクターの構成を示す概略図である。以下、プロジェクターの構成を、図１を参照しながら説明する。
【００２４】
図１に示すように、プロジェクター１０００は、３枚の電気光学装置２０（図２参照、以下、第１液晶パネル２０１、第２液晶パネル２０２、第３液晶パネル２０３、とも称する。）と、これら電気光学装置２０に制御信号を供給する制御装置３０と、を少なくとも有している。
【００２５】
第１液晶パネル２０１、第２液晶パネル２０２、及び第３液晶パネル２０３は、相異なる表示色（赤色、緑色、青色）に対応する３個の電気光学装置２０である。
【００２６】
照明光学系１１００は、照明装置（光源）１２００からの出射光のうち赤色成分Ｒを第１液晶パネル２０１に供給し、緑色成分Ｇを第２液晶パネル２０２に供給し、青色成分Ｂを第３液晶パネル２０３に供給する。第１液晶パネル２０１、第２液晶パネル２０２、及び第３液晶パネル２０３は、照明光学系１１００から供給される各色光を表示画像に応じて変調する光変調器（ライトバルブ）として機能する。投写光学系１３００は、第１液晶パネル２０１、第２液晶パネル２０２、及び第３液晶パネル２０３からの出射光を合成して投写面１４００に投写する。
【００２７】
「電気光学装置の回路構成」
図２は、電気光学装置の構成を示すブロック図である。以下、電気光学装置の構成を、図２に示すブロック図を参照しながら説明する。
【００２８】
図２に示すように、電気光学装置２０は、表示領域４２と、駆動部５０と、を少なくとも具備している。表示領域４２には、相交差する複数の走査線２２と複数の信号線２３とが形成され、走査線２２と信号線２３との各交差に対応して画素２１が行列状に配列されている。
【００２９】
表示領域４２には、ｍ本（ｍは、２以上の整数）の走査線２２と、ｎ本（ｎは、２以上の整数）の信号線２３と、が形成されている。走査線２２は、行方向（Ｘ方向）に延在している。信号線２３は、列方向（Ｙ方向）に延在している。なお、本実施形態では、ｍ＝２１６８で、ｎ＝４１１２を例として、電気光学装置２０とその駆動方法などを説明する。この場合、２１６８行×４１１２列の表示領域４２に対し、２１６０行×４０９６列の所謂４Ｋ画像が表示される。
【００３０】
駆動部５０は、各画素２１を駆動する駆動回路５１と、駆動回路５１に表示用信号を供給する表示用信号供給回路３２と、フレーム画像を一時的に記憶する記憶回路３３と、を含んで構成されている。駆動回路５１は、走査線駆動回路５２と、信号線駆動回路５３と、を含んで構成される。また、駆動部５０は、複数の走査線２２と、複数の信号線２３とに、駆動信号を供給する。駆動部５０から各種信号が供給されることにより、表示領域４２には画像が表示される。
【００３１】
表示用信号供給回路３２は、記憶回路３３に記憶されたフレーム画像から、表示用信号（画像信号やクロック信号など）を作成する。更に、表示用信号供給回路３２は、作成した表示用信号を駆動回路５１に供給する。
【００３２】
表示領域４２は、第１辺（本実施形態では、表示領域４２の左辺）と、第１辺に対し表示領域４２を挟んで対向する（ほぼ平行する）第２辺（本実施形態では、表示領域４２の右辺）と、を有する。また、表示領域４２は、第１辺に交差する（ほぼ直交する）第３辺（本実施形態では、表示領域４２の下辺）と、第３辺に対し表示領域４２を挟んで対向する（ほぼ平行する）第４辺と、を有する。
【００３３】
走査線駆動回路５２は、表示領域４２の第１辺か、第２辺か、第１辺及び第２辺か、に沿って形成される。図２ではわかりやすくするために省略されているが、本実施形態では、走査線駆動回路５２は、図４に示すように、表示領域４２の第１辺と第２辺とに沿って形成されている。
【００３４】
信号線駆動回路５３は、表示領域４２の第３辺か、第４辺か、第３辺及び第４辺か、に沿って形成される。本実施形態では、信号線駆動回路５３は、第３辺に沿って形成されている。また、信号線駆動回路５３は、後述するスイッチＳＷに選択信号を出力する選択信号出力回路５３ａと、画素２１に画像信号を出力する画像信号出力回路５３ｂと、を備える。
【００３５】
走査線駆動回路５２は、画素２１を行方向に選択又は非選択する走査信号を各走査線２２に出力する。走査線２２は、この走査信号を画素に伝える。具体的には、走査信号は、選択状態と非選択状態と有している。走査線２２は、走査線駆動回路５２からの走査信号を受けて、適宜選択され得る。
【００３６】
走査線駆動回路５２は、シフトレジスター回路（図示せず）を備えている。具体的には、シフトレジスター回路をシフトする信号が、一段ごとにシフト出力信号として出力される。この出力信号を用いて走査信号が形成される。信号線駆動回路５３は、走査線２２の選択に同期して、ｎ本の信号線２３の各々に画像信号を供給する。
【００３７】
一枚の表示画像は、１フレーム期間に形成される。１フレーム期間には、各走査線２２が少なくとも一度は選択される。通常は、各走査線２２が一度ずつ選択される。１つの走査線が選択される期間を水平走査期間と呼ぶので、１フレーム期間には少なくともｍ個の水平走査期間が含まれる。１行目の走査線Ｇ１から順にｍ行目の走査線Ｇｍまで（あるいは、ｍ行目走査線Ｇｍから順に１行目の走査線Ｇ１まで）、順次走査線２２が選択されて１フレーム期間が構成されるので、フレーム期間を垂直走査期間とも呼ぶ。
【００３８】
本実施形態の電気光学装置２０は、ガラス基板（図示なし）を用いて形成されている。駆動回路５１は、ガラス基板に薄膜トランジスターなどの薄膜素子を用いて形成されている。制御装置３０は、表示用信号供給回路３２と記憶回路３３とを含んでおり、単結晶半導体基板に形成される半導体集積回路で構成されている。
【００３９】
この構成以外にも、表示領域４２がガラス基板に形成され、駆動回路５１は単結晶半導体基板に形成される集積回路としてもよいし、表示領域４２も駆動回路５１も単結晶半導体基板に形成される構成としてもよい。
【００４０】
「画素の構成」
図３は、電気光学装置を構成する画素の構成を示す回路図である。以下、画素の構成を、図３を参照しながら説明する。
【００４１】
本実施形態の電気光学装置２０は、例えば、液晶装置である。電気光学材料は、液晶２６である。図３に示すように、各画素２１は、液晶素子ＬＣと、画素トランジスター２４と、を含んで構成される。
【００４２】
液晶素子ＬＣは、相対向する画素電極２５と共通電極２７とを有している。液晶素子ＬＣは、これら画素電極２５と共通電極２７との間に電気光学材料としての液晶２６が配置された電気光学素子である。画素電極２５と共通電極２７との間に印加される電界に応じて、液晶２６を通過する光の透過率が変化する。
【００４３】
なお、電気光学材料として、液晶２６ではなく電気泳動材料を用いるようにしてもよい。その場合、電気光学装置２０は、電気泳動装置となり、電子書籍などに使用される。
【００４４】
画素トランジスター２４は、走査線２２にゲートが接続されたＮ型の薄膜トランジスターで構成されている。また、画素トランジスター２４は、画素電極２５と信号線２３との間に介在して、両者の電気的な接続（導通／非導通）を制御する。
【００４５】
従って、画素２１（液晶素子ＬＣ）は、信号線駆動回路５３によって、画素トランジスター２４がオン状態とされた際に信号線２３へ供給されている電位（画像信号）に応じた表示を行う。なお、液晶素子ＬＣに対して並列に接続される補助容量などの図示は省略している。
【００４６】
「信号線駆動回路の回路構成」
図４は、信号線駆動回路の構成を示す回路図である。以下、信号線駆動回路の構成を、図４を参照しながら説明する。
【００４７】
図４に示すように、信号線駆動回路５３は、表示領域４２の第３辺に沿って形成されている。信号線駆動回路５３は、例えば、選択信号ＳＥＬ（第１選択信号ＳＥＬ１〜第８選択信号ＳＥＬ８）が供給される第１選択信号線１０１から第８選択信号線１０８までの選択信号線１００と、第１スイッチＳＷ１から第８スイッチＳＷ８までのスイッチＳＷと、を含んでいる。
【００４８】
信号線駆動回路５３は、画像信号Ｄを供給する信号線２３をｋ個（ｋは２以上の整数）のブロックに分割し、各ブロック内のｎ本の信号線２３（信号線群）を１水平走査期間において順次選択して画像信号Ｄを供給することにより、画素２１（画素２１ａ〜画素２１ｈ）への書き込み時間を確保することができる。このような駆動方法を、デマルチプレクサ駆動方法と称する。
【００４９】
信号線２３の本数ｎは、例えば、ｎ＝４１１２である。本実施形態では、第１選択信号線１０１〜第８選択信号線１０８としているので、画像信号線ＯＳｊの本数ｊは、ｊ＝５１４（４１１２本／８ＳＥＬ）である。言い換えれば、第１選択信号ＳＥＬ１によって選択される信号線２３の本数ｎは、ｎ＝５１４である。同様に、第２選択信号ＳＥＬ２〜第８選択信号ＳＥＬ８によって選択される信号線の本数ｎは、各ｎ＝５１４である。
【００５０】
第１画像信号線ＯＳ１は、第１信号線Ｓ１から第８信号線Ｓ８までの信号線２３と電気的に接続されている。以降、第２画像信号線ＯＳ２から第ｊ画像信号線ＯＳｊまで、同様の回路構成が繰り返し形成されている。
【００５１】
また、信号線駆動回路５３には、第１スイッチＳＷ１から第８スイッチＳＷ８が設けられている。第１スイッチＳＷ１から第８スイッチＳＷ８は、画素トランジスター２４と同様に、薄膜トランジスターで形成されている。
【００５２】
第１スイッチＳＷ１は、第１信号線Ｓ１と第１画像信号線ＯＳ１との間に配置されている。第１スイッチＳＷ１の一端（ソースとドレインとの一方）は、第１信号線Ｓ１に電気的に接続されている。第１スイッチＳＷ１の他端（ソースとドレインとの他方）は、第１画像信号線ＯＳ１に電気的に接続されている。第１スイッチＳＷ１のゲートは、第１選択信号線１０１に電気的に接続されている。
【００５３】
例えば、第１選択信号ＳＥＬ１が選択信号となれば、第１スイッチＳＷ１はオン状態となり、第１信号線Ｓ１には、第１画像信号Ｄ１が供給される。第２選択信号ＳＥＬ２が選択信号となれば、第２スイッチＳＷ２はオン状態となり、第２信号線Ｓ２には、第２画像信号Ｄ２が供給される。同様に繰り返すことにより、８本の信号線２３に画像信号Ｄが供給される。
【００５４】
なお、本明細書にて、例えば、配線１と配線２とが電気的に接続されているとは、配線１と配線２とが同じ論理状態（設計概念上の電位）になり得ることを意味している。具体的には、配線１と配線２とが直に接続されている場合の他に、低抵抗やスイッチング素子などを介して接続されている場合を含む。
【００５５】
すなわち、配線１での電位と配線２での電位とが多少異なっていても、回路上で同じ論理を持たせる場合、配線１と配線２とは電気的に接続されていることになる。従って、例えば、図４に示すように、第１信号線Ｓ１と第１画像信号線ＯＳ１との間に第１スイッチＳＷ１が配置された場合も、第１スイッチＳＷ１がオン状態では、第１画像信号Ｄ１が第１信号線Ｓ１に供給されるので、第１信号線Ｓ１と第１画像信号線ＯＳ１とは電気的に接続されていることになる。
【００５６】
「電気光学装置の駆動方法」
図５Ａ〜図５Ｈは、第１実施形態に係わる電気光学装置の駆動方法を示すタイミングチャートである。図６Ａ〜図６Ｈは、各フレーム期間ごとの階調を示す図表である。以下、電気光学装置の駆動方法を、図５Ａ〜図５Ｈ、及び図６Ａ〜図６Ｈを参照しながら説明する。
【００５７】
図５Ａに示すタイミングチャートは、第１走査線Ｇ１が選択された水平走査期間Ｈにおける、走査線２２に供給される走査信号（ゲート信号：ＧＡＴＥ）と、各選択信号ＳＥＬ（第１選択信号ＳＥＬ１〜第８選択信号ＳＥＬ８）と、画像信号系（ＶＩＤ）と、が示されている。画像信号系（ＶＩＤ）は、プリチャージ信号ＰＲＣと、画像信号Ｄ（第１画像信号Ｄ１〜第８画像信号Ｄ８）と、ポストチャージ信号ＰＳＴＣと、を有する。なお、プリチャージ信号ＰＲＣ、及びポストチャージ信号ＰＳＴＣを供給する回路は、公知の回路を用いることができるため、図４において図示を省略している。
【００５８】
なお、プリチャージ信号ＰＲＣとは、各画素２１への書き込みに先行して行う信号である。プリチャージ動作を行うことにより、画素トランジスター２４の光リーク電流に起因する縦クロストークが抑制される。また、ポストチャージ信号ＰＳＴＣとは、プリチャージ信号ＰＲＣを補間する信号である。以下、プリチャージ信号ＰＲＣ及びポストチャージ信号ＰＳＴＣについての説明を省略する。
【００５９】
ここで、１回の垂直走査期間Ｖ（１フレーム期間：１画面）には、ｍ個の水平走査期間Ｈｍが含まれる。ｍは、例えば、１〜２１６８の整数である。図５Ａに示すタイミングチャートは、１水平走査期間Ｈにおける各信号のタイミングを示している。なお、第１実施形態では、ｍ個の水平走査期間Ｈｍにおいて同じタイミングチャートが用いられる。
【００６０】
第１実施形態の駆動方法としては、１フレーム期間ごとに、同時に選択する信号線２３の組み合わせを変えている。例えば、駆動周波数を６０Ｈｚとした場合、１秒間に６０回、フレーム（１画面）が書き換えられる。つまり、１画面（１フレーム）ごとに、同時に選択する信号線２３の組み合わせを変えていることになる。
【００６１】
なお、本実施形態の駆動周波数Ｓ（Ｓは６０の倍数）は、２４０Ｈｚ（４倍速駆動と称する）である。４倍速駆動の場合、図５Ａの第１フレーム期間から図５Ｄの第４フレームでは、第１の映像を表示するための第１の画像信号に基づいた表示が繰り返して行われる。また、図５Ｅの第５フレームから図５Ｈの第８フレームでは、次の第２の映像を表示するための第２の画像信号に基づいた表示が繰り返して行われる。
なお、駆動周波数Ｓは、２４０Ｈｚに限定されず、１２０Ｈｚ（２倍速駆動）、１８０Ｈｚ（３倍速駆動）、４８０Ｈｚ（８倍速駆動）等であってもよい。また、駆動周波数Ｓは、倍速駆動に限らず６０Ｈｚであってもよい。
【００６２】
第１実施形態の駆動方法は、図５Ａに示すように、信号線駆動回路５３によって、全ての信号線２３にプリチャージ信号ＰＲＣを供給した後、各画像信号Ｄを供給している。各画像信号Ｄの供給方法は、まず、水平走査期間Ｈ１において、第１選択信号線１０１に第１選択信号ＳＥＬ１を供給して第１スイッチＳＷ１をオン状態にし、第１信号線Ｓ１を選択する（図４参照）。その後、選択された第１信号線Ｓ１に第１画像信号線ＯＳ１を介して第１画像信号Ｄ１を供給する。これにより、１行目（第１走査線Ｇ１に相当）の第１画素２１ａに第１画像信号Ｄ１が書き込まれる。
【００６３】
次に、信号線駆動回路５３は、第２選択信号線１０２に第２選択信号ＳＥＬ２を供給して第２スイッチＳＷ２をオン状態にし、第２信号線Ｓ２を選択する。その後、選択された第２信号線Ｓ２に第１画像信号線ＯＳ１を介して第２画像信号Ｄ２を供給する。これにより、１行目の第２画素２１ｂに第２画像信号Ｄ２が書き込まれる。
【００６４】
次に、信号線駆動回路５３は、第３選択信号線１０３に第３選択信号ＳＥＬ３を供給して第３スイッチＳＷ３をオン状態にし、第３信号線Ｓ３を選択する。その後、選択された第３信号線Ｓ３に第１画像信号線ＯＳ１を介して第３画像信号Ｄ３を供給する。これにより、１行目の第３画素２１ｃに第３画像信号Ｄ３が書き込まれる。
【００６５】
次に、信号線駆動回路５３は、第４選択信号線１０４に第４選択信号ＳＥＬ４を供給して第４スイッチＳＷ４をオン状態にし、第４信号線Ｓ４を選択する。その後、選択された第４信号線Ｓ４に第１画像信号線ＯＳ１を介して第４画像信号Ｄ４を供給する。これにより、１行目の第４画素２１ｄに第４画像信号Ｄ４が書き込まれる。
【００６６】
次に、信号線駆動回路５３は、第５選択信号線１０５に第５選択信号ＳＥＬ５を供給して第５スイッチＳＷ５をオン状態にし、第５信号線Ｓ５を選択する。その後、選択された第５信号線Ｓ５に第１画像信号線ＯＳ１を介して第５画像信号Ｄ５を供給する。これにより、１行目の第５画素２１ｅに第５画像信号Ｄ５が書き込まれる。
【００６７】
次に、信号線駆動回路５３は、第６選択信号線１０６に第６選択信号ＳＥＬ６を供給して第６スイッチＳＷ６をオン状態にし、第６信号線Ｓ６を選択する。その後、選択された第６信号線Ｓ６に第１画像信号線ＯＳ１を介して第６画像信号Ｄ６を供給する。これにより、１行目の第６画素２１ｆに第６画像信号Ｄ６が書き込まれる。
【００６８】
次に、信号線駆動回路５３は、第７選択信号線１０７に第７選択信号ＳＥＬ７を供給すると共に、第８選択信号線１０８に第８選択信号ＳＥＬ８を供給して、第７スイッチＳＷ７及び第８スイッチＳＷを同時にオン状態にし、第７信号線Ｓ７及び第８信号線Ｓ８を同時に選択する。その後、選択された第７信号線Ｓ７及び第８信号線Ｓ８に、例えば、共通の画像信号Ｄである第７画像信号Ｄ７を供給する。これにより、１行目の第７画素２１ｇ及び第８画素２１ｈに、同じ画像信号Ｄである第７画像信号Ｄ７が書き込まれる。
【００６９】
なお、第７信号線Ｓ７及び第８信号線Ｓ８に供給する同じ画像信号Ｄは、一方の第７画像信号Ｄ７に限定されず、他方の第８画像信号Ｄ８を供給するようにしてもよい。また、２本の信号線２３に供給されるべき画像信号Ｄを平均化した画像信号Ｄを供給するようにしてもよい。
【００７０】
この後、第２走査線Ｇ２を選択し、選択された第２走査線Ｇ２の水平走査期間Ｈ（第２水平走査期間Ｈ２）において、上記と同様の駆動方法を用いて、２行目（第２走査線Ｇ２に相当）の画素２１に画像信号Ｄの書き込みを行う。
【００７１】
以降、ｍ行目の走査線Ｇｍまで同様の駆動を行い、第１フレーム期間（第１垂直走査期間Ｖ１）の書き込み動作を終了する。
【００７２】
このように、隣り合う２本の信号線２３（第７信号線Ｓ７及び第８信号線Ｓ８）を同時に選択して、同じ第７画像信号Ｄ７を供給することにより、１本の信号線２３を選択して画像信号Ｄを供給する場合と比較して、選択する期間を１期間分短縮することができる。すなわち、画素２１への書き込み期間を短くすることができるので、限られた水平走査期間Ｈの中で、画素２１への書き込み期間を容易に確保することができる。また、水平走査期間Ｈを短くすることができるので、駆動周波数を上げることで、高解像度化や高速駆動化に容易に対応することができる。
【００７３】
図６Ａは、上記駆動方法によって駆動されたときの、第１フレーム期間の一部の表示領域４２の階調分布（階調イメージ）を示している。具体的には、８ビット（０〜２５６）階調で表示している。
【００７４】
例えば、上記したように、１行目の走査線Ｇ１において、第１選択信号ＳＥＬ１によって第１信号線Ｓ１が選択され、第１信号線Ｓ１に第１画像信号Ｄ１を供給し、第１画素２１ａに第１画像信号Ｄ１が書き込まれたときの第１画素２１ａの階調は、８０階調（ａ部）である。
【００７５】
また、例えば、第２選択信号ＳＥＬ２によって第２信号線Ｓ２が選択され、第２信号線Ｓ２に第２画像信号Ｄ２を供給し、第２画素２１ｂに第２画像信号Ｄ２が書き込まれたときの第２画素２１ｂの階調は、１００階調（ｂ部）である。
【００７６】
言い換えれば、第１画素２１ａは第１選択信号ＳＥＬ１に相当し、第２画素２１ｂは第２選択信号ＳＥＬ２に相当していることになる。一方、第１走査線Ｇ１は第１水平走査期間Ｈ１に相当し、第２走査線Ｇ２は第２水平走査期間Ｈ２に相当することになる。
【００７７】
つまり、図６Ａに示す図は、第１選択信号ＳＥＬ１から第８選択信号ＳＥＬ８によって選択された第１信号線Ｓ１から第８信号線Ｓ８に、第１画像信号線ＯＳ１を介して、第１画像信号Ｄ１から第８画像信号Ｄ８を供給したときの、８つの水平走査期間Ｈ（Ｈ１〜Ｈ８）分の階調を示したものである。
【００７８】
第１実施形態の駆動方法によって表示された第１フレーム期間は、隣接する第７信号線Ｓ７及び第８信号線Ｓ８を同時に選択し、同じ画像信号Ｄ（第７画像信号Ｄ７）を第７画素２１ｇ及び第８画素２１ｈに書き込むので、第７画素２１ｇの画素列及び第８画素２１ｈの画素列の階調は、共に２００階調になる。以下、同様に駆動されることによって、表示領域４２の列方向（Ｈ１〜Ｈ８）に同様な階調表示を示す。
【００７９】
また、このように、隣り合う画素２１に同じ画像信号Ｄを供給するので、階調が大きく異なることなく、表示画像の劣化を抑えることができる。以降、第２フレーム期間〜第８フレーム期間（各垂直走査期間Ｖ）における駆動方法の説明、及び各フレーム期間における階調の説明は、主に特徴部分のみを説明する。
【００８０】
第２フレーム期間（第２垂直走査期間Ｖ２）の駆動方法は、図５Ｂに示すように、第６選択信号線１０６に第６選択信号ＳＥＬ６を供給すると共に、第７選択信号線１０７に第７選択信号ＳＥＬ７を供給して、第６信号線Ｓ６及び第７信号線Ｓ７を同時に選択する。そして、選択された第６信号線Ｓ６及び第７信号線Ｓ７に、例えば、同じ画像信号Ｄである第６画像信号Ｄ６を供給する。上記したように、供給する画像信号Ｄは、第６画像信号Ｄ６に限定されず、第７画像信号Ｄ７でもよい。以下、第２フレーム期間において、各水平走査期間Ｈを同様に駆動する。
【００８１】
第２フレーム期間の階調分布としては、図６Ｂに示すように、第６信号線Ｓ６から第６画像信号Ｄ６が書き込まれた第６画素２１ｆの階調と、第７信号線Ｓ７から第６画像信号Ｄ６が書き込まれた第７画素２１ｇの階調とが、同じ１８０階調になる。以下、同様に駆動されることによって、表示領域４２の列方向（Ｈ１〜Ｈ８）に同様な階調表示を示す。
【００８２】
この場合も、第１フレーム期間と同様に、選択する期間を１期間分短縮させることができると共に、隣り合う２本の信号線２３に同じ画像信号Ｄを供給するので、階調分布がその周囲で大きく変わらず、画像の劣化を抑えることができる。
【００８３】
更に、第１フレーム期間と比較して、同時選択した画素２１を隣り（本実施形態では左側）にずらしているので、表示画面の一部分に共通の階調が集中することなく、共通の階調の領域を散らせることが可能となり、表示画像の劣化を抑えることができる。すなわち、表示画面の一部分に共通の階調が第１フレーム期間から第２フレーム期間に渡って繰り返して表示されることによる縦筋の発生や、同じ画像信号Ｄ（第７画像信号Ｄ７）を第７画素２１ｇ及び第８画素２１ｈに書き込むことによる解像度の劣化をすることで、画像品質の劣化を抑制しながら、高解像度化や高速駆動化に対応することができる電気光学装置及び電気光学装置の駆動方法を提供できる。
【００８４】
第３フレーム期間（第３垂直走査期間Ｖ３）の駆動方法は、図５Ｃに示すように、第５選択信号線１０５に第５選択信号ＳＥＬ５を供給すると共に、第６選択信号線１０６に第６選択信号ＳＥＬ６を供給して、第５信号線Ｓ５及び第６信号線Ｓ６を同時に選択する。そして、選択された第５信号線Ｓ５及び第６信号線Ｓ６に、例えば、同じ画像信号Ｄである第５画像信号Ｄ５を供給する。以下、第３フレーム期間において、各水平走査期間Ｈを同様に駆動する。
【００８５】
第３フレーム期間の階調分布は、図６Ｃに示すように、第５信号線Ｓ５から第５画像信号Ｄ５が書き込まれた第５画素２１ｅの階調と、第６信号線Ｓ６から第５画像信号Ｄ５が書き込まれた第６画素２１ｆの階調とが、１６０階調で同じになる。以下、同様に駆動されることによって、表示領域４２の列方向（Ｈ１〜Ｈ８）に同様な階調表示を示す。
【００８６】
第４フレーム期間（第４垂直走査期間Ｖ４）の駆動方法は、図５Ｄに示すように、第４選択信号線１０４に第４選択信号ＳＥＬ４を供給すると共に、第５選択信号線１０５に第５選択信号ＳＥＬ５を供給して、第４信号線Ｓ４及び第５信号線Ｓ５を同時に選択する。そして、選択された第４信号線Ｓ４及び第５信号線Ｓ５に、例えば、同じ画像信号Ｄである第４画像信号Ｄ４を供給する。以下、第４フレーム期間において、各水平走査期間Ｈを同様に駆動する。
【００８７】
第４フレーム期間の階調分布は、図６Ｄに示すように、第４信号線Ｓ４から第４画像信号Ｄ４が書き込まれた第４画素２１ｄの階調と、第５信号線Ｓ５から第４画像信号Ｄ４が書き込まれた第５画素２１ｅの階調とが、１４０階調で同じになる。以下、同様に駆動されることによって、表示領域４２の列方向（Ｈ１〜Ｈ８）に同様な階調表示を示す。
【００８８】
このように、第１フレーム期間から第４フレーム期間に渡って、同時選択した画素２１を隣りの方向（本実施形態では左側）にずらしているので、表示画面の一部分に共通の階調が集中することなく、共通の階調の領域を散らせることが可能となり、表示画像の劣化を抑えることができる。すなわち、表示画面の一部分に共通の階調が第１フレーム期間から第４フレーム期間に渡って繰り返して表示されることによる縦筋の発生や、同じ画像信号Ｄ（第７画像信号Ｄ７）を第７画素２１ｇ及び第８画素２１ｈに書き込むことによる解像度の劣化を抑制することで、画像品質の劣化を抑制しながら、高解像度化や高速駆動化に対応することができる電気光学装置及び電気光学装置の駆動方法を提供できる。
【００８９】
第５フレーム期間（第５垂直走査期間Ｖ５）の駆動方法は、図５Ｅに示すように、第３選択信号線１０３に第３選択信号ＳＥＬ３を供給すると共に、第４選択信号線１０４に第４選択信号ＳＥＬ４を供給して、第３信号線Ｓ３及び第４信号線Ｓ４を同時に選択する。そして、選択された第３信号線Ｓ３及び第４信号線Ｓ４に、例えば、同じ画像信号Ｄである第３画像信号Ｄ３を供給する。以下、第５フレーム期間において、各水平走査期間Ｈを同様に駆動する。
【００９０】
第５フレーム期間の階調分布は、図６Ｅに示すように、第３信号線Ｓ３から第３画像信号Ｄ３が書き込まれた第３画素２１ｃの階調と、第４信号線Ｓ４から第３画像信号Ｄ３が書き込まれた第４画素２１ｄの階調とが、１２０階調で同じになる。以下、同様に駆動されることによって、表示領域４２の列方向（Ｈ１〜Ｈ８）に同様な階調表示を示す。
【００９１】
第６フレーム期間（第６垂直走査期間Ｖ６）の駆動方法は、図５Ｆに示すように、第２選択信号線１０２に第２選択信号ＳＥＬ２を供給すると共に、第３選択信号線１０３に第３選択信号ＳＥＬ３を供給して、第２信号線Ｓ２及び第３信号線Ｓ３を同時に選択する。そして、選択された第２信号線Ｓ２及び第３信号線Ｓ３に、例えば、同じ画像信号Ｄである第２画像信号Ｄ２を供給する。以下、第６フレーム期間において、各水平走査期間Ｈを同様に駆動する。
【００９２】
第６フレーム期間の階調分布は、図６Ｆに示すように、第２信号線Ｓ２から第２画像信号Ｄ２が書き込まれた第２画素２１ｂの階調と、第３信号線Ｓ３から第２画像信号Ｄ２が書き込まれた第３画素２１ｃの階調とが、１００階調で同じになる。以下、同様に駆動されることによって、表示領域４２の列方向（Ｈ１〜Ｈ８）に同様な階調表示を示す。
【００９３】
第７フレーム期間（第７垂直走査期間Ｖ７）の駆動方法は、図５Ｇに示すように、第１選択信号線１０１に第１選択信号ＳＥＬ１を供給すると共に、第２選択信号線１０２に第２選択信号ＳＥＬ２を供給して、第１信号線Ｓ１及び第２信号線Ｓ２を同時に選択する。そして、選択された第１信号線Ｓ１及び第２信号線Ｓ２に、例えば、同じ画像信号Ｄである第１画像信号Ｄ１を供給する。以下、第７フレーム期間において、各水平走査期間Ｈを同様に駆動する。
【００９４】
第７フレーム期間の階調分布は、図６Ｇに示すように、第１信号線Ｓ１から第１画像信号Ｄ１が書き込まれた第１画素２１ａの階調と、第２信号線Ｓ２から第１画像信号Ｄ１が書き込まれた第２画素２１ｂの階調とが、８０階調で同じになる。以下、同様に駆動されることによって、表示領域４２の列方向（Ｈ１〜Ｈ８）に同様な階調表示を示す。
【００９５】
第８フレーム期間（第８垂直走査期間Ｖ８）の駆動方法は、図５Ｈに示すように、第８選択信号線１０８に第８選択信号ＳＥＬ８を供給すると共に、第１選択信号線１０１に第１選択信号ＳＥＬ１を供給して、第８信号線Ｓ８及び第１信号線Ｓ１を同時に選択する。
【００９６】
なお、ここで説明する第８信号線Ｓ８は、第１信号線Ｓ１に隣接する信号線であるため、隣りの信号線のブロックの第８信号線Ｓ８を指している。具体的には、例えば、第１画像信号線ＯＳ１の隣りに配置された第０画像信号線ＯＳ０と電気的に接続された第８信号線Ｓ８とすることができる。
【００９７】
そして、選択された第８信号線Ｓ８及び第１信号線Ｓ１に、例えば、同じ画像信号Ｄである第８画像信号Ｄ８を供給する。以下、第８フレーム期間において、各水平走査期間Ｈを同様に駆動する。
【００９８】
第８フレーム期間の階調分布は、図６Ｈに示すように、第８信号線Ｓ８から第８画像信号Ｄ８が書き込まれた第８画素２１ｈの階調と、第１信号線Ｓ１から第８画像信号Ｄ８が書き込まれた第１画素２１ａの階調とが、６０階調で同じになる。
【００９９】
なお、図６Ｈに示す階調分布において、第１画像信号線ＯＳ１の隣りの第０画像信号線ＯＳ０と電気的に接続された第８画素２１ｈの階調は表示していないが、６０階調である。以下、第８フレーム期間において、各水平走査期間Ｈを同様に駆動する。
【０１００】
このように、第５フレーム期間から第８フレームに渡って、同時選択した画素２１を隣りの方向（本実施形態では左側）にずらしているので、表示画面の一部分に共通の階調が集中することなく、共通の階調の領域を散らせることが可能となり、表示画像の劣化を抑えることができる。すなわち、表示画面の一部分に共通の階調が第１フレーム期間から第４フレーム期間に渡って繰り返して表示されることによる縦筋の発生や、同じ画像信号Ｄ（第３画像信号Ｄ３）を第３画素２１ｃ及び第４画素２１ｄに書き込むことによる解像度の劣化を抑制することで、画像品質の劣化を抑制しながら、高解像度化や高速駆動化に対応することができる駆動方法を提供できる。
【０１０１】
以上説明したように、第１実施形態の電気光学装置２０、電気光学装置２０の駆動方法、及び電子機器によれば、以下の効果を得ることができる。
【０１０２】
（１）第１実施形態によれば、隣り合う２本の信号線２３を同時に選択して同じ画像信号Ｄを供給するので、１本の信号線２３を選択して画像信号Ｄを供給する場合と比較して、選択する期間（時間）を１期間分短縮することができる。また、隣り合う２本の信号線２３に接続された、隣接する画素に同じ画像信号Ｄを書き込むので、隣接する画素２１との階調差を小さくすること可能となり、表示画像の劣化を抑えることができる。これにより、信号線２３に画像信号Ｄを書き込む時間を確保することができ、高解像度の表示品質を提供することができる。具体的には、例えば、書き込みの回数を削減した分、書き込み時間を長くすることにより、明るさや画質を向上させることができる。また、書き込み回数を削減した分、駆動周波数を高くすることで、高解像度化や高速駆動化を容易に行うことが可能となる。
【０１０３】
（２）第１実施形態によれば、１フレーム期間ごとに、共通の画像信号Ｄが供給される信号線２３の組み合わせを変えているので、同じ階調となる画素２１の位置をずらすことができる。具体的には、同じ階調表示をする隣接する画素２１の位置を表示領域４２において固定しないので、画像の品質が劣化することを抑えることができる。
【０１０４】
（第２実施形態）
「電気光学装置の駆動方法」
図７Ａ〜図７Ｄは、第２実施形態の電気光学装置の駆動方法を示すタイミングチャートである。図８Ａ〜図８Ｄは、フレーム期間ごとの階調を示す図表である。以下、第２実施形態の電気光学装置の駆動方法を、図７Ａ〜図７Ｄ、及び図８Ａ〜図８Ｄを参照しながら説明する。
【０１０５】
これまでに述べた第１実施形態の駆動方法は、デマルチプレクサ回路において、隣接する２つの信号線２３を１組選択し、選択された２つの信号線２３に同じ画像信号Ｄを供給している。これに対し、第２実施形態の駆動方法は、デマルチプレクサ回路において、隣接する２つの信号線２３の組み合わせを２組選択している部分が異なっている。その他の部分については概ね第１実施形態と同様であるため、第２実施形態では、第１実施形態と異なる部分について詳細に説明し、その他の重複する部分については適宜説明を省略する。尚、第２実施形態においても駆動周波数Ｓ（Ｓは６０の倍数）は、２４０Ｈｚ（４倍速駆動）である。
【０１０６】
第２実施形態の駆動方法は、上記したように、同時に選択する信号線２３の組み合わせを２組にしている。具体的には、図７Ａに示すように、第１フレーム期間（第１垂直走査期間Ｖ１）において、第３選択信号線１０３に第３選択信号ＳＥＬ３を供給すると共に、第４選択信号線１０４に第４選択信号ＳＥＬ４を供給して、第３信号線Ｓ３及び第４信号線Ｓ４（第１信号線群）を同時に選択する。
【０１０７】
そして、同時に選択された第３信号線Ｓ３及び第４信号線Ｓ４に、例えば、同じ画像信号Ｄである第３画像信号Ｄ３（第１の画像信号）を供給する。これが、１組目の信号線２３の組み合わせである。次に２組目の信号線２３の組み合わせを説明する。
【０１０８】
２組目は、同様に第１フレーム期間において、第７選択信号線１０７に第７選択信号ＳＥＬ７を供給すると共に、第８選択信号線１０８に第８選択信号ＳＥＬ８を供給して、第７信号線Ｓ７及び第８信号線Ｓ８（第２信号線群）を同時に選択する。そして、同時に選択された第７信号線Ｓ７及び第８信号線Ｓ８に、例えば、同じ画像信号Ｄである第７画像信号Ｄ７（第２の画像信号）を供給する。
【０１０９】
これにより、第３画素２１ｃ及び第４画素２１ｄに同じ第３画像信号Ｄ３が書き込まれる。一方、第７画素２１ｇ及び第８画素２１ｈに同じ第７画像信号Ｄ７が書き込まれる。以下、第１フレーム期間において、各水平走査期間Ｈを同様に駆動する。
【０１１０】
このように、同時に選択する２本の信号線２３の組み合わせを２組にすることにより、第１実施形態と比較して、選択する期間を２期間分短縮することができる。これにより、画素２１への書き込み時間をより確保することができる。これにより、リーク電流の影響を抑えることが可能となり、明るさを向上させることができる。
【０１１１】
第１フレーム期間の階調分布としては、図８Ａに示すように、第３信号線Ｓ３から第３画像信号Ｄ３が書き込まれた第３画素２１ｃの階調と、第４信号線Ｓ４から第３画像信号Ｄ３が書き込まれた第４画素２１ｄの階調とが、同じ１２０階調になる。
【０１１２】
更に、第７信号線Ｓ７から第７画像信号Ｄ７が書き込まれた第７画素２１ｇの階調と、第８信号線Ｓ８から第７画像信号Ｄ７が書き込まれた第８画素２１ｈの階調とが、同じ２００階調になる。以下、同様に駆動されることによって、表示領域４２の列方向（Ｈ１〜Ｈ８）に同様な階調表示を示す。
【０１１３】
第２フレーム期間（第２垂直走査期間Ｖ２）の駆動方法は、図７Ｂに示すように、第２選択信号線１０２に第２選択信号ＳＥＬ２を供給すると共に、第３選択信号線１０３に第３選択信号ＳＥＬ３を供給して、第２信号線Ｓ２及び第３信号線Ｓ３を同時に選択する。そして、選択された第２信号線Ｓ２及び第３信号線Ｓ３に、例えば、同じ画像信号Ｄである第２画像信号Ｄ２を供給する。
【０１１４】
更に、第６選択信号線１０６に第６選択信号ＳＥＬ６を供給すると共に、第７選択信号線１０７に第７選択信号ＳＥＬ７を供給して、第６信号線Ｓ６及び第７信号線Ｓ７を同時に選択する。そして、同時に選択された第６信号線Ｓ６及び第７信号線Ｓ７に、例えば、同じ画像信号Ｄである第６画像信号Ｄ６を供給する。以下、第２フレーム期間において、各水平走査期間Ｈを同様に駆動する。
【０１１５】
第２フレーム期間の階調分布としては、図８Ｂに示すように、第２信号線Ｓ２から第２画像信号Ｄ２が書き込まれた第２画素２１ｂの階調と、第３信号線Ｓ３から第２画像信号Ｄ２が書き込まれた第３画素２１ｃの階調とが、同じ１００階調になる。
【０１１６】
更に、第６信号線Ｓ６から第６画像信号Ｄ６が書き込まれた第６画素２１ｆの階調と、第７信号線Ｓ７から第６画像信号Ｄ６が書き込まれた第７画素２１ｇの階調とが、同じ１８０階調になる。以下、同様に駆動されることによって、表示領域４２の列方向（Ｈ１〜Ｈ８）に同様な階調表示を示す。
【０１１７】
第３フレーム期間（第３垂直走査期間Ｖ３）の駆動方法は、図７Ｃに示すように、第１選択信号線１０１に第１選択信号ＳＥＬ１を供給すると共に、第２選択信号線１０２に第２選択信号ＳＥＬ２を供給して、第１信号線Ｓ１及び第２信号線Ｓ２を同時に選択する。そして、選択された第１信号線Ｓ１及び第２信号線Ｓ２に、例えば、同じ画像信号Ｄである第１画像信号Ｄ１を供給する。
【０１１８】
更に、第５選択信号線１０５に第５選択信号ＳＥＬ５を供給すると共に、第６選択信号線１０６に第６選択信号ＳＥＬ６を供給して、第５信号線Ｓ５及び第６信号線Ｓ６を同時に選択する。そして、同時に選択された第５信号線Ｓ５及び第６信号線Ｓ６に、例えば、同じ画像信号Ｄである第５画像信号Ｄ５を供給する。以下、第３フレーム期間において、各水平走査期間Ｈを同様に駆動する。
【０１１９】
第３フレーム期間の階調分布としては、図８Ｃに示すように、第１信号線Ｓ１から第１画像信号Ｄ１が書き込まれた第１画素２１ａの階調と、第２信号線Ｓ２から第１画像信号Ｄ１が書き込まれた第２画素２１ｂの階調とが、同じ８０階調になる。
【０１２０】
更に、第５信号線Ｓ５から第５画像信号Ｄ５が書き込まれた第５画素２１ｅの階調と、第６信号線Ｓ６から第５画像信号Ｄ５が書き込まれた第６画素２１ｆの階調とが、同じ１６０階調になる。以下、同様に駆動されることによって、表示領域４２の列方向（Ｈ１〜Ｈ８）に同様な階調表示を示す。
【０１２１】
第４フレーム期間（第４垂直走査期間Ｖ４）の駆動方法は、図７Ｄに示すように、第８選択信号線１０８に第８選択信号ＳＥＬ８を供給すると共に、第１選択信号線１０１に第１選択信号ＳＥＬ１を供給して、第８信号線Ｓ８及び第１信号線Ｓ１を同時に選択する。そして、選択された第８信号線Ｓ８及び第１信号線Ｓ１に、例えば、同じ画像信号Ｄである第８画像信号Ｄ８を供給する。なお、ここでの第８信号線Ｓ８は、第０画像信号線ＯＳ０と電気的に接続されている。
【０１２２】
更に、第４選択信号線１０４に第４選択信号ＳＥＬ４を供給すると共に、第５選択信号線１０５に第５選択信号ＳＥＬ５を供給して、第４信号線Ｓ４及び第５信号線Ｓ５を同時に選択する。そして、同時に選択された第４信号線Ｓ４及び第５信号線Ｓ５に、例えば、同じ画像信号Ｄである第４画像信号Ｄ４を供給する。以下、第４フレーム期間において、各水平走査期間Ｈを同様に駆動する。
【０１２３】
第４フレーム期間の階調分布としては、図８Ｄに示すように、第８信号線Ｓ８から第８画像信号Ｄ８が書き込まれた第８画素２１ｈの階調と、第１信号線Ｓ１から第８画像信号Ｄ８が書き込まれた第１画素２１ａの階調とが、同じ６０階調になる（第８画素２１ｈの６０階調の図示は省略する）。
【０１２４】
更に、第４信号線Ｓ４から第４画像信号Ｄ４が書き込まれた第４画素２１ｄの階調と、第５信号線Ｓ５から第４画像信号Ｄ４が書き込まれた第５画素２１ｅの階調とが、同じ１４０階調になる。以下、同様に駆動されることによって、表示領域４２の列方向（Ｈ１〜Ｈ８）に同様な階調表示を示す。
【０１２５】
以上説明したように、第２実施形態の電気光学装置２０の駆動方法によれば、以下の効果を得ることができる。
【０１２６】
（３）第２実施形態によれば、１組目の２本の信号線２３を同時に選択して同じ画像信号Ｄを供給し、２組目の２本の信号線２３を同時に選択して同じ画像信号Ｄを供給するので、選択する期間を２期間分短縮することができる。これにより、すなわち、画素２１への書き込み期間を短くすることができるので、限られた水平走査期間Ｈの中で、画素２１への書き込み期間を容易に確保することができる。また、水平走査期間Ｈを短くすることができるので、駆動周波数を上げることで、高解像度化や高速駆動化に容易に対応することができる。また、第１フレーム期間から第４フレームに渡って、同時選択した画素２１を隣り（本実施形態では左側）にずらしているので、表示画面の一部分に共通の階調が集中することなく、共通の階調の領域を散らせることが可能となり、表示画像の劣化を抑えることができる。すなわち、表示画面の一部分に共通の階調が第１フレーム期間から第４フレーム期間に渡って繰り返して表示されることによる縦筋の発生や、同じ画像信号Ｄ（第３画像信号Ｄ３及び第７画像信号Ｄ７）をそれぞれ第３画素２１ｃ及び第４画素２１ｄ並びに第７画素２１ｇ及び第８画素２１ｈに書き込むことによる解像度の劣化を抑制をすることで、画像品質の劣化を抑制しながら、高解像度化や高速駆動化に対応することができる電気光学装置及び電気光学装置の駆動方法を提供できる。
【０１２７】
（第３実施形態）
「電気光学装置の駆動方法」
図９は、第３実施形態の電気光学装置の駆動方法を示すタイミングチャートである。図１０Ａ〜図１０Ｄは、フレーム期間ごとの階調を示す図表である。以下、第３実施形態の電気光学装置の駆動方法を、図９、及び図１０Ａ〜図１０Ｄを参照しながら説明する。
【０１２８】
これまでに述べた第２実施形態の駆動方法は、デマルチプレクサ回路において、隣接する２つの信号線２３の組み合わせを２組選択し、更に、第１フレーム期間から第４フレーム期間および第５フレーム期間から第８フレーム期間の各フレーム期間で組み合わせる信号線２３を変えている。これに対し、第３実施形態の駆動方法は、デマルチプレクサ回路において、第２実施形態の駆動方法に加えて、１フレーム期間を構成する水平走査期間Ｈごとに同時選択する信号線２３の組み合わせを変えている部分が異なっている。言い換えれば、同時に選択する信号線の組み合わせを、１フレーム期間内でローテーションしている。このように、水平走査期間Ｈごとに同時選択する信号線２３の組み合わせを変えているので、縦筋が発生することがなく、１フレームの画像の劣化を抑えることができる。その他の部分については概ね第２実施形態と同様であるため、第３実施形態では、第２実施形態と異なる部分について詳細に説明し、その他の重複する部分については適宜説明を省略する。
【０１２９】
第３実施形態の駆動方法は、上記したように、フレーム期間を構成する各水平走査期間Ｈ（第１水平走査期間Ｈ１、第２水平走査期間Ｈ２、第３水平走査期間Ｈ３、第４水平走査期間Ｈ４）ごとに同時選択する信号線２３を変えている。具体的には、図９に示すように、第１フレーム期間における第１水平走査期間Ｈ１では、第３信号線Ｓ３及び第４信号線Ｓ４を同時に選択し、選択された第３信号線Ｓ３及び第４信号線Ｓ４に同じ第３画像信号Ｄ３を供給する。
【０１３０】
更に、同じ第１水平走査期間Ｈ１において、第７信号線Ｓ７及び第８信号線Ｓ８を同時に選択し、選択された第７信号線Ｓ７及び第８信号線Ｓ８に同じ第７画像信号Ｄ７を供給する。
【０１３１】
第１水平走査期間Ｈ１における階調分布は、図１０Ａに示すように、第３信号線Ｓ３から第３画像信号Ｄ３が書き込まれた第３画素２１ｃの階調と、第４信号線Ｓ４から第３画像信号Ｄ３が書き込まれた第４画素２１ｄの階調とが、同じ１２０階調になる。
【０１３２】
更に、第７信号線Ｓ７から第７画像信号Ｄ７が書き込まれた第７画素２１ｇの階調と、第８信号線Ｓ８から第７画像信号Ｄ７が書き込まれた第８画素２１ｈの階調とが、同じ２００階調になる。
【０１３３】
次に、図９に示すように、第１フレーム期間における第２水平走査期間Ｈ２では、第２信号線Ｓ２及び第３信号線Ｓ３を同時に選択し、選択された第２信号線Ｓ２及び第３信号線Ｓ３に同じ第２画像信号Ｄ２を供給する。
【０１３４】
更に、第２水平走査期間Ｈ２では、第６信号線Ｓ６及び第７信号線Ｓ７を同時に選択し、選択された第６信号線Ｓ６及び第７信号線Ｓ７に同じ第６画像信号Ｄ６を供給する。
【０１３５】
第２水平走査期間Ｈ２における階調分布は、図１０Ａに示すように、第２信号線Ｓ２を介して第２画像信号Ｄ２が書き込まれた第２画素２１ｂの階調と、第３信号線Ｓ３を介して第２画像信号Ｄ２が書き込まれた第３画素２１ｃの階調とが、同じ１００階調になる。
【０１３６】
更に、第６信号線Ｓ６を介して第６画像信号Ｄ６が書き込まれた第６画素２１ｆの階調と、第７信号線Ｓ７を介して第６画像信号Ｄ６が書き込まれた第７画素２１ｇの階調とが、同じ１８０階調になる。
【０１３７】
次に、図９に示すように、第１フレーム期間における第３水平走査期間Ｈ３では、第１信号線Ｓ１及び第２信号線Ｓ２を同時に選択し、選択された第１信号線Ｓ１及び第２信号線Ｓ２に同じ第１画像信号Ｄを供給する。
【０１３８】
更に、第３水平走査期間Ｈ３では、第５信号線Ｓ５及び第６信号線Ｓ６を同時に選択し、選択された第５信号線Ｓ５及び第６信号線Ｓ６に同じ第５画像信号Ｄ５を供給する。
【０１３９】
第３水平走査期間Ｈ３における階調分布は、図１０Ａに示すように、第１信号線Ｓ１を介して第１画像信号Ｄ１が書き込まれた第１画素２１ａの階調と、第２信号線Ｓ２を介して第１画像信号Ｄ１が書き込まれた第２画素２１ｂの階調とが、同じ８０階調になる。
【０１４０】
更に、第５信号線Ｓ５を介して第５画像信号Ｄ５が書き込まれた第５画素２１ｅの階調と、第６信号線Ｓ６を介して第５画像信号Ｄ５が書き込まれた第６画素２１ｆの階調とが、同じ１６０階調になる。
【０１４１】
次に、図９に示すように、第１フレーム期間における第４水平走査期間Ｈ４では、第８信号線Ｓ８及び第１信号線Ｓ１を選択し、選択された第８信号線Ｓ８及び第１信号線Ｓ１に同じ第８画像信号Ｄ８を供給する。
【０１４２】
なお、ここで説明する第８信号線Ｓ８は、第１信号線Ｓ１に隣接する信号線であり、隣りの信号線のブロックの第８信号線Ｓ８を指している。具体的には、例えば、第１画像信号線ＯＳ１の隣りの第０画像信号線ＯＳ０と電気的に接続された第８信号線Ｓ８とすることができる。
【０１４３】
更に、第４水平走査期間Ｈ４では、第４信号線Ｓ４及び第５信号線Ｓ５を同時に選択し、選択された第４信号線Ｓ４及び第５信号線Ｓ５に同じ第４画像信号Ｄ４を供給する。
【０１４４】
第４水平走査期間Ｈ４における階調分布は、図１０Ａに示すように、第８信号線Ｓ８を介して第８画像信号Ｄ８が書き込まれた第８画素２１ｈの階調（図示せず）と、第１信号線Ｓ１を介して第８画像信号Ｄ８が書き込まれた第１画素２１ａの階調とが、同じ６０階調になる。
【０１４５】
更に、第４信号線Ｓ４を介して第４画像信号Ｄ４が書き込まれた第４画素２１ｄの階調と、第５信号線Ｓ５を介して第４画像信号Ｄ４が書き込まれた第５画素２１ｅの階調とが、同じ１４０階調になる。
【０１４６】
以降、上記した第１水平走査期間Ｈ１から第４水平走査期間Ｈ４までと同じ駆動を繰り返し行い、第１フレーム期間における全画素２１への画像信号Ｄの書き込みが終了する。
【０１４７】
このように、同じ画像信号Ｄを供給する隣り合う２本の信号線２３を２組にすると共に、水平走査期間Ｈごとに２本の信号線２３の組み合わせを変えるので、１フレームの画面の中で同じ階調となる隣り合う画素２１の位置を散らすことが可能となる。よって、画像品質の劣化を視認しにくくすることができる。
【０１４８】
次に、第２フレーム期間の駆動方法を、図９及び図１０Ｂを参照しながら説明する。第２フレーム期間の駆動方法は、図１０Ｂに示すように、第２水平走査期間Ｈ２の駆動モードから開始する。以降、第３水平走査期間Ｈ３の駆動モード、第４水平走査期間Ｈ４の駆動モード、第１水平走査期間Ｈ１の駆動モードの順に駆動を行う。以降、同様の駆動モードの順に駆動させ、第２フレーム期間における全画素２１への画像信号Ｄの書き込みが終了する。第２フレーム期間の階調分布は、図１０Ｂの図表に示す。
【０１４９】
次に、第３フレーム期間の駆動方法を説明する。第３フレーム期間の駆動方法は、図１０Ｃに示すように、第３水平走査期間Ｈ３の駆動モードから開始する。以降、第４水平走査期間Ｈ４の駆動モード、第１水平走査期間Ｈ１の駆動モード、第２水平走査期間Ｈ２の駆動モードの順に駆動させ、第３フレーム期間における全画素２１への画像信号Ｄの書き込みが終了する。第３フレーム期間の階調分布は、図１０Ｃの図表に示す。
【０１５０】
次に、第４フレーム期間の駆動方法を説明する。第４フレーム期間の駆動方法は、図１０Ｄに示すように、第４水平走査期間Ｈ４の駆動モードから開始する。以降、第１水平走査期間Ｈ１の駆動モード、第２水平走査期間Ｈ２の駆動モード、第３水平走査期間Ｈ３の駆動モードの順に駆動させ、第４フレーム期間における全画素２１への画像信号Ｄの書き込みが終了する。第４フレーム期間の階調分布は、図１０Ｄの図表に示す。
【０１５１】
このように、各フレーム期間において、駆動モードの順序を変えることにより、各フレームにおいて、隣り合う同じ階調の画素２１の位置を散らすことが可能となる。よって、画像品質の劣化を視認しにくくすることができる。
【０１５２】
以上説明したように、第３実施形態の電気光学装置２０の駆動方法によれば、以下の効果を得ることができる。
【０１５３】
（４）第３実施形態によれば、各水平走査期間Ｈごとに同時に選択する隣り合う２本の信号線２３の組み合わせを変えているので、１フレーム（１画面）において、同じ階調になる画素２１の位置を列方向にずらすことが可能となり、画像品質の劣化を視認しにくくすることができる。更に、同時に選択する２本の信号線２３を、１フレーム期間内でローテーションしている。このように、水平走査期間Ｈごとに同時選択する信号線２３の組み合わせを変えているので、縦筋が発生することがなく、１フレーム期間の画像の劣化を抑えることができる。また、各フレーム期間ごとにも同時に選択する隣り合う２本の信号線２３の組み合わせを変えているので、同じ階調になる画素２１の位置を行方向にずらすことが可能となり、画像品質の劣化を視認しにくくすることができる。
【０１５４】
（第４実施形態）
「電気光学装置の駆動方法」
図１１は、第４実施形態の電気光学装置の駆動方法を示すタイミングチャートである。図１２Ａ〜図１２Ｈは、フレーム期間ごとの階調を示す図表である。以下、第４実施形態の電気光学装置の駆動方法を、図１１、及び図１２Ａ〜図１２Ｈを参照しながら説明する。
【０１５５】
これまでに述べた第３実施形態の駆動方法は、デマルチプレクサ回路において、隣り合う２本の信号線２３の組み合わせを２組選択し、更に、各水平走査期間Ｈ、及び各フレーム期間において同時選択する信号線２３の組み合わせを変えている。これに対し、第４実施形態の駆動方法は、デマルチプレクサ回路において、水平走査期間Ｈごとに各選択信号線１００に供給する選択信号ＳＥＬのタイミングを変えている部分が異なっている。その他の部分については概ね第３実施形態と同様であるため、第４実施形態では、第３実施形態と異なる部分について詳細に説明し、その他の重複する部分については適宜説明を省略する。
【０１５６】
第４実施形態の駆動方法は、上記したように、水平走査期間Ｈごとに、各選択信号ＳＥＬの供給順序を変えている。具体的には、常に第１選択信号ＳＥＬ１から順に供給を開始するのではなく、第２選択信号ＳＥＬ２から供給を開始したり、第３選択信号ＳＥＬ３から供給を開始したりする。
【０１５７】
まず、図１１に示すように、第１フレーム期間における第１水平走査期間Ｈ１では、第３信号線Ｓ３及び第４信号線Ｓ４を同時に選択し、選択された第３信号線Ｓ３及び第４信号線Ｓ４に同じ第３画像信号Ｄ３を供給する。
【０１５８】
更に、第１水平走査期間Ｈ１において、第７信号線Ｓ７及び第８信号線Ｓ８を同時に選択し、選択された第７信号線Ｓ７及び第８信号線Ｓ８に同じ第７画像信号Ｄ７を供給する。
【０１５９】
第１水平走査期間Ｈ１における階調分布は、図１２Ａに示すように、第３信号線Ｓ３から第３画像信号Ｄ３が書き込まれた第３画素２１ｃの階調と、第４信号線Ｓ４から第３画像信号Ｄ３が書き込まれた第４画素２１ｄの階調とが、同じ１２０階調になる。
【０１６０】
更に、第７信号線Ｓ７から第７画像信号Ｄ７が書き込まれた第７画素２１ｇの階調と、第８信号線Ｓ８から第７画像信号Ｄ７が書き込まれた第８画素２１ｈの階調とが、同じ２００階調になる。ここまでは、第３実施形態の駆動方法と同じである。
【０１６１】
次に、第２水平走査期間Ｈ２の駆動方法を説明する。まず、図１１に示すように、第８選択信号ＳＥＬ８を供給し第８信号線Ｓ８を選択した後、第８信号線Ｓ８に第８画像信号Ｄ８を供給する。第８画像信号Ｄ８が書き込まれた第８画素２１ｈの階調は、図１２Ａに示すように、２２０階調である。
【０１６２】
次に、第１選択信号ＳＥＬ１を供給し第１信号線Ｓ１を選択した後、第１信号線Ｓ１に第１画像信号Ｄ１を供給する。第１画像信号Ｄ１が書き込まれた第１画素２１ａの階調は、図１２Ａに示すように、８０階調である。
【０１６３】
次に、第２選択信号ＳＥＬ２及び第３選択信号ＳＥＬ３を同時に供給し、選択された第２信号線Ｓ２及び第３信号線Ｓ３に同じ第２画像信号Ｄ２を供給する。第２画像信号Ｄ２が書き込まれた第２画素２１ｂ及び第３画素２１ｃの階調は、図１２Ａに示すように、同じ１００階調である。
【０１６４】
次に、第４選択信号ＳＥＬ４を供給して第４信号線Ｓ４を選択し、第４信号線Ｓ４を介して第４画像信号Ｄ４を第４画素２１ｄに書き込む。この後、第５選択信号ＳＥＬ５を供給して第５信号線Ｓ５を選択し、第５信号線Ｓ５を介して第５画像信号Ｄ５を第５画素２１ｅに書き込む。
【０１６５】
第４画像信号Ｄ４が書き込まれた第４画素２１ｄの階調は、図１２Ａに示すように、１４０階調である。第５画像信号Ｄ５が書き込まれた第５画素２１ｅの階調は、図１２Ａに示すように、１６０階調である。
【０１６６】
次に、第６選択信号ＳＥＬ６及び第７選択信号ＳＥＬ７を同時に供給し、選択された第６信号線Ｓ６及び第７信号線Ｓ７に同じ第６画像信号Ｄ６を供給する。第６画像信号Ｄ６が書き込まれた第６画素２１ｆ及び第７画素２１ｇの階調は、図１２Ａに示すように、同じ１８０階調である。
【０１６７】
次に、第３水平走査期間Ｈ３の駆動方法を説明する。まず、第７選択信号ＳＥＬ７を供給して第７信号線Ｓ７を選択し、第７信号線Ｓ７を介して第７画像信号Ｄ７を第７画素２１ｇに書き込む。第７画素２１ｇの階調は、図１２Ａに示すように、２００階調である。
【０１６８】
次に、第８選択信号ＳＥＬ８を供給して第８信号線Ｓ８を選択し、第８信号線Ｓ８を介して第８画像信号Ｄ８を第８画素２１ｈに書き込む。第８画素２１ｈの階調は、図１２Ａに示すように、２２０階調である。
【０１６９】
次に、第１選択信号ＳＥＬ１及び第２選択信号ＳＥＬ２を同時に供給し、選択された第１信号線Ｓ１及び第２信号線Ｓ２に同じ第１画像信号Ｄ１を供給する。第１画像信号Ｄ１が書き込まれた第１画素２１ａ及び第２画素２１ｂの階調は、同じ８０階調である。以降、順次、第３画素２１ｃ〜第６画素２１ｆへ画像信号Ｄを書き込み、第３水平走査期間Ｈ３の書き込み動作を終了する。
【０１７０】
このように、水平走査期間Ｈごとに、同時選択する信号線２３の組み合わせを変えると共に、選択する信号線２３の順序を変えることにより、１フレームの画像の中で同じ階調となる隣り合う画素２１の領域を散らすことが可能となる。よって、画像品質の劣化を視認しにくくすることができる。
【０１７１】
以降、図１１に示すように、第４水平走査期間Ｈ４から第８水平走査期間Ｈ８にて、選択信号ＳＥＬを供給する順序を変えながら、画素２１へ画像信号Ｄを書き込む。これにより、第１フレーム期間での駆動が終了する。
【０１７２】
第２フレーム期間の駆動方法は、図１２Ｂに示すように、第２水平走査期間Ｈ２の駆動モード（図１１参照）から開始する。以降、第３水平走査期間Ｈ３の駆動モードから第１水平走査期間Ｈ１の駆動モードの順に駆動を行う。第２フレーム期間の階調分布は、図１２Ｂの図表に示す。
【０１７３】
第３フレーム期間の駆動方法は、図１２Ｃに示すように、第３水平走査期間Ｈ３の駆動モード（図１１参照）から開始する。以降、第４水平走査期間Ｈ４の駆動モードから、第２水平走査期間Ｈ２の駆動モードの順に駆動を行う。第３フレーム期間の階調分布は、図１２Ｃの図表に示す。
【０１７４】
第４フレーム期間の駆動方法は、図１２Ｄに示すように、第４水平走査期間Ｈ４の駆動モード（図１１参照）から開始する。以降、第５水平走査期間Ｈ５の駆動モードから、第３水平走査期間Ｈ３の駆動モードの順に駆動を行う。第４フレーム期間の階調分布は、図１２Ｄの図表に示す。
【０１７５】
第５フレーム期間の駆動方法は、図１２Ｅに示すように、第５水平走査期間Ｈ５の駆動モード（図１１参照）から開始する。以降、第６水平走査期間Ｈ６の駆動モードから、第４水平走査期間Ｈ４の駆動モードの順に駆動を行う。第５フレーム期間の階調分布は、図１２Ｅの図表に示す。
【０１７６】
第６フレーム期間の駆動方法は、図１２Ｆに示すように、第６水平走査期間Ｈ６の駆動モード（図１１参照）から開始する。以降、第７水平走査期間Ｈ７の駆動モードから、第５水平走査期間Ｈ５の駆動モードの順に駆動を行う。第６フレーム期間の階調分布は、図１２Ｆの図表に示す。
【０１７７】
第７フレーム期間の駆動方法は、図１２Ｇに示すように、第７水平走査期間Ｈ７の駆動モード（図１１参照）から開始する。以降、第８水平走査期間Ｈ８の駆動モードから、第６水平走査期間Ｈ６の駆動モードの順に駆動を行う。第７フレーム期間の階調分布は、図１２Ｇの図表に示す。
【０１７８】
第８フレーム期間の駆動方法は、図１２Ｈに示すように、第８水平走査期間Ｈ８の駆動モード（図１１参照）から開始する。以降、第１水平走査期間Ｈ１の駆動モードから、第７水平走査期間Ｈ７の駆動モードの順に駆動を行う。第８フレーム期間の階調分布は、図１２Ｈの図表に示す。
【０１７９】
以上説明したように、第４実施形態の電気光学装置２０の駆動方法によれば、以下の効果を得ることができる。
【０１８０】
（５）第４実施形態によれば、水平走査期間Ｈごとに、選択信号ＳＥＬを供給する順序（タイミング）を変えるので、各水平走査期間や各フレーム期間において、同じ画像信号Ｄが書き込まれる画素２１の位置を散らすことが可能となり、画像品質の劣化を視認しにくくすることができる。
【０１８１】
（変形例）
また、上記実施形態は、以下のように変更してもよい。
【０１８２】
上記実施形態では、各水平走査期間Ｈの最初に同じタイミングでプリチャージ信号ＰＲＣを供給する形態を示したが、これに限定されず、以下のような態様でもよい。
【０１８３】
図１３は、変形例の駆動方法を示すタイミングチャートである。なお、プリチャージ信号ＰＲＣを供給する動作以外は、第４実施形態の駆動方法と同様である。よって、各フレーム期間における階調分布も、図１２Ａ〜図１２Ｈと同様である。
【０１８４】
プリチャージ回路（本変形例では、順次プリチャージ回路と称する）は、例えば、公知の技術を用いることができ、信号線駆動回路５３に設けられている（図示せず）。具体的には、例えば、図１３に示すように、第１水平走査期間Ｈ１において、第２選択信号ＳＥＬ２の直前に第２プリチャージ信号ＰＲＣ２を供給する。
【０１８５】
その後、第３選択信号ＳＥＬ３を供給する直前に第３プリチャージ信号ＰＲＣ３を供給し、第４選択信号ＳＥＬ４を供給する直前に第４プリチャージ信号ＰＲＣ４を供給し、その後、順次プリチャージ信号ＰＲＣを供給していく（順次プリチャージ駆動）。このように、選択信号ＳＥＬを供給する直前に、プリチャージ信号ＰＲＣを供給することにより、専用のプリチャージ期間を削減することができ、高速駆動に対応させることが可能となる。
【０１８６】
また、上記実施形態では、階調分布として、第１画素２１ａから第８画素２１ｈまで順に、８０階調、１００階調、１２０階調、１４０階調、１６０階調、１８０階調、２００階調、２２０階調となるように設定していたが、これに限定されず、例えば、各フレーム期間ごとの数値を平均化した階調になるように設定してもよい。
【０１８７】
図１４は、第１実施形態の変形例の階調を示す図表である。図１４に示すように、第１画素２１ａの列から第８画素２１ｈの列まで順に、７７．５階調、９７．５階調、１１８階調、１３８階調、１５８階調、１７８階調、１９８階調、２１８階調となっている。
【０１８８】
具体的には、各フレーム期間毎の階調を平均した数値である。例えば、第１画素２１ａの列では、第８フレーム期間のみ６０階調としているので、（８０階調×７フレーム＋６０階調×１フレーム）／８フレームとして計算して平均化している。
【０１８９】
また、図１５に示すように、第２実施形態から第４実施形態において、階調を平均した階調値になるように設定してもよい。
【０１９０】
また、上記実施形態では、同時に選択する信号線２３を隣り合う２本の信号線２３としていたが、これに限定されず、隣り合う３本以上の信号線を１組として同時に選択して、同じ画像信号Ｄを供給するようにしてもよい。
【０１９１】
また、第２実施形態〜第４実施形態のように、同時に選択する信号線２３の組み合わせを２組としていたが、これに限定されず、３組以上にしてもよい。
【０１９２】
また、上記実施形態では、８つの選択信号ＳＥＬ（ＳＥＬ１〜ＳＥＬ８）の構成を説明したが、これに限定されず、例えば、４つの選択信号ＳＥＬで構成してもいいし、１２個の選択信号ＳＥＬで構成してもいいし、１６個の選択信号ＳＥＬで構成するようにしてもよい。
【０１９３】
また、上記実施形態では、画素２１への書き込み極性、すなわち、正極性書き込みや負極性書き込みについて触れなかったが、次のようにしてもよい。例えば、第１実施形態に記載したように駆動周波数が２４０Ｈｚ（４倍速駆動）の場合、第１フレーム期間で正極性書き込み、第２フレーム期間で負極性書き込み、第３フレーム期間で正極性書き込み、第４フレーム期間で負極性書き込みのように書き込みを行う。この場合、第２フレーム期間は、同時に選択する２本の信号線２３の組み合わせを変えないで書き込みを行う。また、第４フレーム期間は、同時に選択する２本の信号線の組み合わせを変えないで書き込みを行う。同時に選択する２本の信号線２３の組み合わせの変更は、第１フレーム期間と第３フレーム期間で行う。第２フレーム期間と第４フレーム期間で組み合わせを変えた場合、正極性書き込みと負極性書き込みでの極性バランスが崩れて、焼き付きやフリッカーが発生する原因となるが、第２フレーム期間と第４フレーム期間で同時に選択する２本の信号線２３の組み合わせを変えないようにすることで、焼き付きやフリッカーの発生を抑えることができる。
【０１９４】
また、上記第１実施形態及び第２実施形態では、１フレーム期間毎に信号線２３の組み合わせを変えているが、次のようにしてもよい。例えば、駆動周波数を４８０Ｈｚ（８倍速駆動）とする場合、２フレーム期間毎、または、４フレーム期間毎に信号線２３の組み合わせを変更してもよい。また、上記変形例において、１組の正負極性のフレームでは信号線２３の組み合わせを変えないようにしてもよい。
【０１９５】
また、上記第３実施形態及び第４実施形態では、水平走査期間ごとに信号線２３の組み合わせを変えているが、複数の水平走査期間ごとに信号線２３の組み合わせを変えるようにしてもよい。また、第１実施形態及び第２実施形態のように、各フレーム期間において、信号線群の中で信号線２３の組み合わせが変わるようにしてもよい。
【０１９６】
以下に、実施形態から導き出される内容を記載する。
【０１９７】
電気光学装置は、複数の信号線と、複数の走査線と、前記複数の信号線と前記複数の走査線との交差に対応して配置された画素と、前記複数の信号線のうちのｋ本の信号線毎に対応して配置された画像信号線と、前記画像信号線と前記ｋ本の信号線のそれぞれの間に配置されたｋ個のスイッチと、前記ｋ個のスイッチを選択する選択信号を出力する選択信号出力回路と、前記画像信号線を介して、前記画素に画像信号を出力する画像信号出力回路と、を備えた電気光学装置であって、前記選択信号出力回路は、水平走査期間を時分割した一部の期間において、前記ｋ個のスイッチのうちの一組の隣り合う信号線に対応する一組のスイッチを同時に選択する選択信号を出力し、前記水平走査期間を時分割した残りの期間において、前記ｋ個のスイッチうちの残りのスイッチを一つずつ選択する選択信号を出力し、前記画像信号出力回路は、前記水平走査期間を時分割した一部の期間において、前記同時に選択された一組のスイッチに対応した一組の隣り合う信号線に同じ画像信号を供給することを特徴とする。
【０１９８】
この構成によれば、ｋ個のスイッチのうちの一組の隣り合う信号線に対応する一組のスイッチを同時に選択して同じ画像信号を供給するので、１本の信号線を選択して画像信号を供給する場合と比較して、選択する期間を１期間分短縮することができる。また、隣り合う信号線、言い換えれば、一部の画素に同じ画像信号を書き込むので、表示画像の劣化を抑えることができる。これにより、信号線に画像信号を書き込む時間を確保することができると共に、高解像度の表示品質を提供することができる。具体的には、例えば、書き込み回数を削減した分、書き込み時間を長くすることにより、明るさや画質を向上させることができる。また、書き込み回数を削減した分、駆動周波数を高くすることが可能となり、高解像度化や高速駆動化を容易に行うことができる。
【０１９９】
上記の電気光学装置において、前記選択信号出力回路は、前記同時に選択する一組のスイッチの組み合わせを所定の時間ごとに変更することが望ましい。
【０２００】
この構成によれば、所定の時間ごとに同時に選択する一組のスイッチの組み合わせを変更するので、画質の劣化を抑えることができる。
【０２０１】
上記の電気光学装置において、前記選択信号出力回路は、垂直走査期間毎に前記画素に同じ画像信号をｐ回供給するｐ倍速駆動を行い、前記同時に選択する一組のスイッチの組み合わせをｐ垂直走査期間の間にｐ回又はｐ分の２回変更することが望ましい。
【０２０２】
この構成によれば、同時に選択する一組のスイッチの組み合わせをｐ垂直走査期間の間にｐ回又はｐ分の２回変更するので、同じ画像信号を書き込む画素を表示画面内で散らすことが可能となり、表示品質が劣化することを抑えることができる。
【０２０３】
上記の電気光学装置において、前記選択信号出力回路は、前記水平走査期間を時分割した一部の時間において、前記ｋ個のスイッチのうち二組の隣り合う信号線のそれぞれに対応する二組のスイッチを同時に選択して、第１組のスイッチに対応する第１組の隣り合う信号線に第１の画像信号を供給すると共に、第２組のスイッチに対応する第２組の隣り合う信号線に第２の画像信号を供給することが望ましい。
【０２０４】
この構成によれば、第１組のスイッチに対応する第１組の隣り合う信号線に第１の画像信号を供給すると共に、第２組のスイッチに対応する第２組の隣り合う信号線に第２の画像信号を供給するので、少なくとも選択する期間を２期間分短縮することができる。これにより、信号線に画像信号を書き込む時間を確保することが可能となり、高解像度の表示品質を提供することができる。
【０２０５】
上記の電気光学装置において、垂直走査期間は、第１水平走査期間と第２水平走査期間とを含み、前記選択信号出力回路は、前記第１水平走査期間と前記第２水平走査期間とにおいて前記同時に選択する一組のスイッチの組み合わせを変更することが望ましい。
【０２０６】
この構成によれば、第１水平走査期間と第２水平走査期間とにおいて同時に選択する一組のスイッチの組み合わせを変更するので、共通の画像信号を書き込みする画素を散らすことが可能となる。これにより、表示品質が劣化することを抑えることができる。
【０２０７】
上記の電気光学装置において、前記選択信号出力回路は、前記同時に選択する一組のスイッチに対応する一組の隣り合う信号線のいずれか１本の信号線に供給すべき画像信号を、前記同時に選択する一組のスイッチに対応する一組の隣り合う信号線の他の信号線にも供給することが望ましい。
【０２０８】
この構成によれば、同時に選択する一組のスイッチに対応する一組の隣り合う信号線のいずれか１本の信号線に供給すべき画像信号を、同時に選択する一組のスイッチに対応する一組の隣り合う信号線の他の信号線にも供給するので、選択する期間を削減することが可能となり、書き込み時間を確保することができる。
【０２０９】
上記の電気光学装置において、前記画像信号出力回路は、複数の垂直走査期間における画像信号を平均化した画像信号を前記同時に選択する一組のスイッチに対応する一組の隣り合う信号線に供給してもよい。
【０２１０】
この構成によれば、平均化した画像信号に合わせて同じ画像信号を供給するので、階調の変化を抑えることが可能となり、画像の劣化を抑えることができる。
【０２１１】
電気光学装置の駆動方法は、複数の信号線と、複数の走査線と、前記複数の信号線と前記複数の走査線との交差に対応して配置された画素と、前記複数の信号線のうちのｋ本の信号線毎に対応して配置された画像信号線と、前記画像信号線と前記ｋ本の信号線のそれぞれの間に配置されたｋ個のスイッチと、前記ｋ個のスイッチを選択する選択信号を出力する選択信号出力回路と、前記画像信号線を介して、前記画素に画像信号を出力する画像信号出力回路と、を備えた電気光学装置の駆動方法であって、前記選択信号出力回路は、水平走査期間を時分割した一部の期間において、前記ｋ個のスイッチのうちの一組の隣り合う信号線に対応する一組のスイッチを同時に選択する選択信号を出力し、前記水平走査期間を時分割した残りの期間において、前記ｋ個のスイッチうちの残りのスイッチを一つずつ選択する選択信号を出力し、前記画像信号出力回路は、前記水平走査期間を時分割した一部の期間において、前記同時に選択された一組のスイッチに対応した一組の隣り合う信号線に同じ画像信号を供給することを特徴とする。
【０２１２】
この方法によれば、ｋ個のスイッチのうちの一組の隣り合う信号線に対応する一組のスイッチを同時に選択して同じ画像信号を供給するので、１本の信号線を選択して画像信号を供給する場合と比較して、選択する期間を１期間分短縮することができる。また、隣り合う信号線、言い換えれば、一部の画素に同じ画像信号を書き込むので、表示画像の劣化を抑えることができる。これにより、信号線に画像信号を書き込む時間を確保することができると共に、高解像度の表示品質を提供することができる。具体的には、例えば、書き込み回数を削減した分、書き込み時間を長くすることにより、明るさや画質を向上させることができる。また、書き込み回数を削減した分、駆動周波数を高くすることが可能となり、高解像度化や高速駆動化を容易に行うことができる。
【０２１３】
上記の電気光学装置の駆動方法において、前記選択信号出力回路は、前記同時に選択する一組のスイッチの組み合わせを所定の時間ごとに変更することが望ましい。
【０２１４】
この方法によれば、所定の時間ごとに同時に選択する一組のスイッチの組み合わせを変更するので、画質の劣化を抑えることができる。
【０２１５】
上記の電気光学装置の駆動方法において、前記選択信号出力回路は、垂直走査期間毎に前記画素に同じ画像信号をｐ回供給するｐ倍速駆動を行い、前記同時に選択する一組のスイッチの組み合わせをｐ垂直走査期間の間にｐ回又はｐ分の２回変更することが望ましい。
【０２１６】
この方法によれば、同時に選択する一組のスイッチの組み合わせをｐ垂直走査期間の間にｐ回又はｐ分の２回変更するので、同じ画像信号を書き込む画素を表示画面内で散らすことが可能となり、表示品質が劣化することを抑えることができる。
【０２１７】
上記の電気光学装置の駆動方法において、前記選択信号出力回路は、前記水平走査期間を時分割した一部の時間において、前記ｋ個のスイッチのうち二組の隣り合う信号線のそれぞれに対応する二組のスイッチを同時に選択して、第１組のスイッチに対応する第１組の隣り合う信号線に第１の画像信号を供給すると共に、第２組のスイッチに対応する第２組の隣り合う信号線に第２の画像信号を供給することが望ましい。
【０２１８】
この方法によれば、第１組のスイッチに対応する第１組の隣り合う信号線に第１の画像信号を供給すると共に、第２組のスイッチに対応する第２組の隣り合う信号線に第２の画像信号を供給するので、少なくとも選択する期間を２期間分短縮することができる。これにより、信号線に画像信号を書き込む時間を確保することが可能となり、高解像度の表示品質を提供することができる。
【０２１９】
上記の電気光学装置の駆動方法において、垂直走査期間は、第１水平走査期間と第２水平走査期間とを含み、前記選択信号出力回路は、前記第１水平走査期間と前記第２水平走査期間とにおいて前記同時に選択する一組のスイッチの組み合わせを変更することが望ましい。
【０２２０】
この方法によれば、第１水平走査期間と第２水平走査期間とにおいて同時に選択する一組のスイッチの組み合わせを変更するので、共通の画像信号を書き込みする画素を散らすことが可能となる。これにより、表示品質が劣化することを抑えることができる。
【０２２１】
上記の電気光学装置の駆動方法において、前記選択信号出力回路は、前記同時に選択する一組のスイッチに対応する一組の隣り合う信号線のいずれか１本の信号線に供給すべき画像信号を、前記同時に選択する一組のスイッチに対応する一組の隣り合う信号線の他の信号線にも供給することが望ましい。
【０２２２】
この方法によれば、同時に選択する一組のスイッチに対応する一組の隣り合う信号線のいずれか１本の信号線に供給すべき画像信号を、同時に選択する一組のスイッチに対応する一組の隣り合う信号線の他の信号線にも供給するので、選択する期間を削減することが可能となり、書き込み時間を確保することができる。
【０２２３】
上記の電気光学装置の駆動方法において、前記画像信号出力回路は、複数の垂直走査期間における画像信号を平均化した画像信号を前記同時に選択する一組のスイッチに対応する一組の隣り合う信号線に供給してもよい。
【０２２４】
この方法によれば、平均化した画像信号に合わせて同じ画像信号を供給するので、階調の変化を抑えることが可能となり、画像の劣化を抑えることができる。
【０２２５】
電子機器は、上記に記載の電気光学装置を備えたことを特徴とする。
【０２２６】
この構成によれば、高解像度の表示品質を得ることが可能な電子機器を提供することができる。
【符号の説明】
【０２２７】
２０…電気光学装置、２１…画素、２１ａ…第１画素、２１ｂ…第２画素、２１ｃ…第３画素、２１ｄ…第４画素、２１ｅ…第５画素、２１ｆ…第６画素、２１ｇ…第７画素、２１ｈ…第８画素、２２…走査線、２３…信号線、２４…画素トランジスター、２５…画素電極、２６…液晶、２７…共通電極、３０…制御装置、３２…表示用信号供給回路、３３…記憶回路、４２…表示領域、５０…駆動部、５１…駆動回路、５２…走査線駆動回路、５３…信号線駆動回路、５３ａ…選択信号出力回路、５３ｂ…画像信号出力回路、１００…選択信号線、１０１…第１選択信号線、１０２…第２選択信号線、１０３…第３選択信号線、１０４…第４選択信号線、１０５…第５選択信号線、１０６…第６選択信号線、１０７…第７選択信号線、１０８…第８選択信号線、２０１…第１液晶パネル、２０２…第２液晶パネル、２０３…第３液晶パネル、１０００…プロジェクター、１１００…照明光学系、１２００…光源、１３００…投写光学系、１４００…投写面。
【図１】
2020034719.tif 000003
【図２】
2020034719.tif 000004
【図３】
2020034719.tif 000005
【図４】
2020034719.tif 000006
【図５Ａ】
2020034719.tif 000007
【図５Ｂ】
2020034719.tif 000008
【図５Ｃ】
2020034719.tif 000009
【図５Ｄ】
2020034719.tif 000010
【図５Ｅ】
2020034719.tif 000011
【図５Ｆ】
2020034719.tif 000012
【図５Ｇ】
2020034719.tif 000013
【図５Ｈ】
2020034719.tif 000014
【図６Ａ】
2020034719.tif 000015
【図６Ｂ】
2020034719.tif 000016
【図６Ｃ】
2020034719.tif 000017
【図６Ｄ】
2020034719.tif 000018
【図６Ｅ】
2020034719.tif 000019
【図６Ｆ】
2020034719.tif 000020
【図６Ｇ】
2020034719.tif 000021
【図６Ｈ】
2020034719.tif 000022
【図７Ａ】
2020034719.tif 000023
【図７Ｂ】
2020034719.tif 000024
【図７Ｃ】
2020034719.tif 000025
【図７Ｄ】
2020034719.tif 000026
【図８Ａ】
2020034719.tif 000027
【図８Ｂ】
2020034719.tif 000028
【図８Ｃ】
2020034719.tif 000029
【図８Ｄ】
2020034719.tif 000030
【図９】
2020034719.tif 000031
【図１０Ａ】
2020034719.tif 000032
【図１０Ｂ】
2020034719.tif 000033
【図１０Ｃ】
2020034719.tif 000034
【図１０Ｄ】
2020034719.tif 000035
【図１１】
2020034719.tif 000036
【図１２Ａ】
2020034719.tif 000037
【図１２Ｂ】
2020034719.tif 000038
【図１２Ｃ】
2020034719.tif 000039
【図１２Ｄ】
2020034719.tif 000040
【図１２Ｅ】
2020034719.tif 000041
【図１２Ｆ】
2020034719.tif 000042
【図１２Ｇ】
2020034719.tif 000043
【図１２Ｈ】
2020034719.tif 000044
【図１３】
2020034719.tif 000045
【図１４】
2020034719.tif 000046
【図１５】
2020034719.tif 000047